(57)【要約】【課題】コンピュータに実装するプロセッサの種類を変更する際に、部品の実装あるいは未実装の切り替え作業等を行わなくてもＨＷストラップの異なるプロセッサを自由に乗せ換えることが可能なプロセッサ切り替え装置の提供。【解決手段】  コンピュータのシステム電源投入に先立つスタンバイ電源投入後に、コンピュータに実装されるプロセッサ２〜５から送信されるプロセッサ種別信号８２およびそのプロセッサが実装されていることを示すプレゼント信号８３を受け取ってプロセッサの種別を判定し、判定結果のシステムプロセッサ種別信号８１を送信するプロセッサ種別判定回路１０と、プロセッサ種別判定回路１０からのシステムプロセッサ種別信号８１を受け取り、その信号８１に基づきプロセッサ２〜５のＨＷ設定の切り替えを行うＨＷ設定切り替え回路２０とを含む。【選択図】      図１
2007293641.tif 000002
【特許請求の範囲】
【請求項１】
１個または複数個のプロセッサが実装されるコンピュータのプロセッサ切り替え装置であって、
前記コンピュータのシステム電源投入に先立つスタンバイ電源投入後に、前記コンピュータに実装されるプロセッサから送信されるプロセッサ種別信号およびそのプロセッサが実装されていることを示すプレゼント信号を受け取って前記プロセッサの種別を判定し、判定結果のシステムプロセッサ種別信号を送信するプロセッサ種別判定手段と、
前記プロセッサ種別判定手段からのシステムプロセッサ種別信号を受け取り、そのシステムプロセッサ種別信号に基づき前記プロセッサのＨＷ（ハードウエア）設定の切り替えを行うＨＷ設定切り替え手段とを含むことを特徴とするプロセッサ切り替え装置。
【請求項２】
前記プロセッサ種別判定手段の出力側に判定結果に応じて点灯または消灯する表示素子が設けられることを特徴とする請求項１記載のプロセッサ切り替え装置。
【請求項３】
前記プロセッサ種別判定手段に、前記プロセッサから送信されるプロセッサ種別信号に基づき実装されるプロセッサの種類を相互に比較する比較手段を含むことを特徴とする請求項１または２記載のプロセッサ切り替え装置。
【請求項４】
前記比較手段の出力側に比較結果に応じて点灯または消灯する表示素子が設けられることを特徴とする請求項３記載のプロセッサ切り替え装置。
【請求項５】
前記ＨＷ（ハードウエア）設定の切り替え後に前記システム電源が投入されることを特徴とする請求項１から４いずれかに記載のプロセッサ切り替え装置。
【請求項６】
１個または複数個のプロセッサが実装されるコンピュータのプロセッサ切り替え方法であって、
前記コンピュータのシステム電源投入に先立つスタンバイ電源投入後に、前記コンピュータに実装されるプロセッサから送信されるプロセッサ種別信号およびそのプロセッサが実装されていることを示すプレゼント信号を受け取って前記プロセッサの種別を判定し、判定結果のシステムプロセッサ種別信号を送信するプロセッサ種別判定ステップと、
前記プロセッサ種別判定ステップからのシステムプロセッサ種別信号を受け取り、そのシステムプロセッサ種別信号に基づき前記プロセッサのＨＷ（ハードウエア）設定の切り替えを行うＨＷ設定切り替えステップとを含むことを特徴とするプロセッサ切り替え方法。
【請求項７】
前記プロセッサ種別判定ステップに、前記プロセッサから送信されるプロセッサ種別信号に基づき実装されるプロセッサの種類を相互に比較する比較ステップを含むことを特徴とする請求項６記載のプロセッサ切り替え方法。
【請求項８】
前記ＨＷ（ハードウエア）設定の切り替え後に前記システム電源が投入されることを特徴とする請求項６または７記載のプロセッサ切り替え方法。
【発明の詳細な説明】
【技術分野】
【０００１】
本発明は、プロセッサ切り替え装置およびその切り替え方法に関し、特に１個または複数個の同一種類のプロセッサが実装されるコンピュータのプロセッサ切り替え装置およびその切り替え方法に関する。
【背景技術】
【０００２】
１個または複数個の同一種類のプロセッサが実装されるコンピュータは知られている。従来、この種のコンピュータでは実装されるプロセッサの種類により、プルアップ（たとえば、電気回路を抵抗を介して電源の正電位側へ接続すること）やプルダウン（たとえば、電気回路を抵抗を介して接地側へ接続すること）等のＨＷ（ハードウエア）ストラップの変更を、部品実装あるいは未実装により行っていた。この種の設定の変更は基板の共通化等を目的として行われている。
【０００３】
一方、ＤＣ（直流）電源確定後に変更可能なプロセッサの設定ピンをプロセッサ種別に応じて変更する技術が開示されている（たとえば、特許文献１参照）。
【０００４】
【特許文献１】特開平０６−１２４１９４号公報（段落００１２、００１６および図２）
【発明の開示】
【発明が解決しようとする課題】
【０００５】
しかし、従来はＨＷストラップ変更のための部品の実装あるいは未実装の切り替えを工場で行うか、あるいは基板自体を変更する必要があったため、ＨＷストラップの異なるプロセッサを自由に乗せ換えることができないという課題があった。
【０００６】
一方、特許文献１記載の技術では、ＤＣ電源確定後でなければプロセッサの設定ピンの変更を行うことができないという課題があった。
【０００７】
そこで本発明の目的は、コンピュータに実装するプロセッサの種類を変更する際に、部品の実装あるいは未実装の切り替え作業等を行わなくてもＨＷストラップの異なるプロセッサを自由に乗せ換えることが可能なプロセッサ切り替え装置およびその切り替え方法を提供することにある。
【課題を解決するための手段】
【０００８】
前記課題を解決するために本発明によるプロセッサ切り替え装置は、１個または複数個のプロセッサが実装されるコンピュータのプロセッサ切り替え装置であって、前記コンピュータのシステム電源投入に先立つスタンバイ電源投入後に、前記コンピュータに実装されるプロセッサから送信されるプロセッサ種別信号およびそのプロセッサが実装されていることを示すプレゼント信号を受け取って前記プロセッサの種別を判定し、判定結果のシステムプロセッサ種別信号を送信するプロセッサ種別判定手段と、前記プロセッサ種別判定手段からのシステムプロセッサ種別信号を受け取り、そのシステムプロセッサ種別信号に基づき前記プロセッサのＨＷ（ハードウエア）設定の切り替えを行うＨＷ設定切り替え手段とを含むことを特徴とする。
【０００９】
また本発明によるプロセッサ切り替え方法は、１個または複数個のプロセッサが実装されるコンピュータのプロセッサ切り替え方法であって、前記コンピュータのシステム電源投入に先立つスタンバイ電源投入後に、前記コンピュータに実装されるプロセッサから送信されるプロセッサ種別信号およびそのプロセッサが実装されていることを示すプレゼント信号を受け取って前記プロセッサの種別を判定し、判定結果のシステムプロセッサ種別信号を送信するプロセッサ種別判定ステップと、前記プロセッサ種別判定ステップからのシステムプロセッサ種別信号を受け取り、そのシステムプロセッサ種別信号に基づき前記プロセッサのＨＷ（ハードウエア）設定の切り替えを行うＨＷ設定切り替えステップとを含むことを特徴とする。
【００１０】
ここで、本発明の作用を述べる。本発明はプロセッサの種類に応じて自動的にＨＷ設定を切り替えることを特徴としている。コンピュータのシステム電源投入に先立つスタンバイ電源投入後に、１個または複数個のプロセッサは自プロセッサの種別を表す信号をプロセッサ種別判定回路に出力する。プロセッサ種別判定回路は各プロセッサからのプロセッサ種別を表すプロセッサ種別信号を受け取り、これに基づきコンピュータシステムとしてのシステムプロセッサ種別を判定し、ＨＷ設定切り替え回路へシステムプロセッサ種別信号を出力する。ＨＷ設定切り替え回路は、このシステムプロセッサ種別信号によりプロセッサやＬＳＩ（ｌａｒｇｅ  ｓｃａｌｅ  ｉｎｔｅｇｒａｔｅｄ  ｃｉｒｃｕｉｔ）のＨＷストラップを変更する。次いでシステムのＤＣ電源が投入される。
【００１１】
このようにして、本発明では、ＤＣ電源を投入する前にプロセッサの種類を判定し、ＨＷストラップを変更しているので、部品の実装あるいは未実装を変更することなくＨＷストラップの異なるプロセッサ種別に対応することが可能となる。
【発明の効果】
【００１２】
本発明によれば、上記構成を含むことにより、コンピュータに実装するプロセッサの種類を変更する際に、部品の実装あるいは未実装の切り替え作業等を行わなくてもＨＷストラップの異なるプロセッサを自由に乗せ換えることが可能となる。
【発明を実施するための最良の形態】
【００１３】
以下、本発明の実施例について添付図面を参照しながら説明する。
【実施例１】
【００１４】
本発明に係るプロセッサ切り替え装置１は、図示しないコンピュータ内に設けられる。図１は本発明に係るプロセッサ切り替え装置の第１実施例の構成図である。
【００１５】
同図を参照すると、本発明に係るプロセッサ切り替え装置１は、プロセッサの種別を判定するプロセッサ種別判定回路１０と、プロセッサ種別判定回路１０からのシステムプロセッサ種別信号８１に基づきプロセッサのＨＷ（ハードウエア）設定の切り替えを行うＨＷ設定切り替え回路２０とを含んでいる。
【００１６】
また、プロセッサ切り替え装置１とは別に、一例として４個の同一種類のプロセッサ（＃１〜＃４）２〜５と、ＬＳＩ６とがコンピュータに含まれる。
【００１７】
プロセッサ（＃１〜＃４）２〜５は図示しないソケットに実装されており、そのソケットを介して各々のプロセッサ（＃１〜＃４）２〜５の種別を示すプロセッサ種別信号８２と、それらソケットに各々のプロセッサ（＃１〜＃４）２〜５が実装されていることを示すプレゼント信号８３がプロセッサ種別判定回路１０へ出力される。
【００１８】
なお、本実施例ではプロセッサが４個ソケットに実装されている場合について説明するが、これに限定されるものではなく、少なくとも１個ソケットに実装されていれば本発明の適用が可能である。また、プロセッサおよびソケットの個数は任意である。
【００１９】
ＬＳＩ６はソケットに実装されるプロセッサの種別に応じてＨＷ設定の切り替えが必要な回路である。
【００２０】
一例として、プロセッサの種類は２種あるものとし、そのいずれか同一種類のプロセッサが各ソケットに実装されている。
【００２１】
プロセッサ種別判定回路１０は、各プロセッサ（＃１〜＃４）２〜５のプロセッサ種別信号８２を受け取り、コンピュータシステムとしてどのプロセッサ種別で動作すべきかを判定し、システムプロセッサ種別信号８１を出力する。なお、プロセッサが実装されていないソケットが存在する場合は、そのソケットからのプロセッサ種別信号８２は無視される。
【００２２】
ＨＷ設定切り替え回路２０は、プロセッサ種別判定回路１０からのシステムプロセッサ種別信号８１を受け取り、各プロセッサ（＃１〜＃４）２〜５やＬＳＩ６のＨＷ設定を切り替える。
【００２３】
次に、プロセッサ種別判定回路１０の詳細な構成について説明する。図２はプロセッサ種別判定回路１０の一例の構成図である。同図を参照すると、プロセッサ種別判定回路１０は、各プロセッサ（＃１〜＃４）２〜５からのプロセッサ種別信号８２およびプレゼント信号８３が入力される論理積回路１１と、論理積回路１１の出力信号が入力される論理和回路１２とを含んでいる。
【００２４】
論理積回路１１は各プロセッサ（＃１〜＃４）２〜５ごとに設けられたＡＮＤゲート１１−１〜１１−４を含んでおり、各プロセッサ（＃１〜＃４）２〜５のプロセッサ種別信号８２の有効性を判断する。
【００２５】
いま、プロセッサ種別信号８２が“１”の場合、プロセッサの種別はＡであり、プロセッサ種別信号８２が“０”の場合、プロセッサの種別はＢであるものとする。また、ソケットにプロセッサが実装されている場合はプレゼント信号８３は“１”、実装されていない場合は“０”であるものとする。
【００２６】
いま、各ソケットに種別Ａのプロセッサが実装されているものとする。一例として、ＡＮＤゲート１１−１にはプロセッサ（＃１）２からのプロセッサ＃１種別信号８２−１およびプレゼント信号８３−１が入力される。この場合、プロセッサ＃１種別信号８２−１は“１”、プレゼント信号８３−１は“１”である。したがって、ＡＮＤゲート１１−１の出力信号は“１”となる。
【００２７】
他のソケットにもプロセッサ（＃１）２と同種のプロセッサが実装されていることは事前に分かっているので、ＡＮＤゲート１１−２〜１１−４の出力信号も同様に“１”となる。
【００２８】
論理和回路１２には各ＡＮＤゲート１１−１〜１１−４からの出力信号“１”が入力されるため、論理和回路１２の出力信号、すなわちシステムプロセッサ種別信号８１は“１”となる。システムプロセッサ種別信号８１が“１”の場合、コンピュータに実装されているプロセッサの種別はＡと判定される。
【００２９】
なお、一例としてプロセッサ（＃１）２しかソケットに実装されていない場合を考えると、ＡＮＤゲート１１−１の出力信号は“１”となる。
【００３０】
一方、プロセッサ（＃２）３〜（＃４）５のプレゼント信号８３−２〜８３−４はともに“０”となるため、ＡＮＤゲート１１−２〜１１〜４の出力信号はプロセッサ（＃２）３〜（＃４）５の種別に関わらず全て“０”となる。
【００３１】
これにより、論理和回路１２の出力、すなわちシステムプロセッサ種別信号８１は“１”となる。すなわち、プロセッサの種別がＡの場合はプロセッサの個数に関わらず、ソケットに実装されているプロセッサの種別はＡと判別される。
【００３２】
次に、各ソケットに種別Ｂのプロセッサが実装されている場合について説明する。この場合、プロセッサ＃１種別信号８２−１は“０”、プレゼント信号８３−１は“１”である。したがって、ＡＮＤゲート１１−１の出力信号は“０”となる。
【００３３】
他のソケットにもプロセッサ（＃１）２と同種のプロセッサが実装されていることは事前に分かっているので、ＡＮＤゲート１１−２〜１１−４の出力信号も同様に“０”となる。
【００３４】
論理和回路１２には各ＡＮＤゲート１１−１〜１１−４からの出力信号“０”が入力されるため、論理和回路１２の出力信号、すなわちシステムプロセッサ種別信号８１は“０”となる。システムプロセッサ種別信号８１が“０”の場合、コンピュータに実装されているプロセッサの種別はＢと判定される。
【００３５】
なお、一例としてプロセッサ（＃１）２しかソケットに実装されていない場合を考えると、ＡＮＤゲート１１−１の出力信号は“０”となる。
【００３６】
一方、プロセッサ（＃２）３〜（＃４）５のプレゼント信号８３−２〜８３−４はともに“０”となるため、ＡＮＤゲート１１−２〜１１〜４の出力信号はプロセッサ（＃２）３〜（＃４）５の種別に関わらず全て“０”となる。
【００３７】
これにより、論理和回路１２の出力、すなわちシステムプロセッサ種別信号８１は“０”となる。すなわち、プロセッサの種別がＢの場合もプロセッサの個数に関わらず、ソケットに実装されているプロセッサの種別はＢと判別される。
【００３８】
一方、ソケットにプロセッサが１個も実装されていない場合も論理和回路１２の出力、すなわちシステムプロセッサ種別信号８１は“０”となる。したがって、この場合、論理和回路１２の出力に基づいてソケットに１個以上の種別Ｂのプロセッサが実装されているのか、それともプロセッサが全く実装されていないかの区別ができないように思われるが、プロセッサ種別判定回路１０には、各プロセッサ（＃１〜＃４）２〜５からのプレゼント信号８３が入力されているため、このプレゼント信号８３のうちのいずれかが“１”の場合は少なくとも１個の種別Ｂのプロセッサが実装されていることが分かる。
【００３９】
次に、ＨＷ設定切り替え回路２０の詳細な構成について説明する。図３はＨＷ設定切り替え回路２０の一例の構成図である。同図を参照すると、ＨＷ設定切り替え回路２０は、プロセッサ（＃１）２用のＱスイッチ２１−１と、プロセッサ（＃２）３用のＱスイッチ２１−２と、プロセッサ（＃３）４用のＱスイッチ２１−３と、プロセッサ（＃４）５用のＱスイッチ２１−４と、ＬＳＩ６用のＱスイッチ２１−５とを含んでいる。ただし、Ｑスイッチ２１−３〜２１−５は図示を省略している。
【００４０】
さらにＱスイッチ２１−１の一方の端子３１とＤＣ電源との間には抵抗２２が接続され、他方の端子３２と接地間には抵抗２３が接続されている。同様に、Ｑスイッチ２１−２の一方の端子４１とＤＣ電源との間には抵抗２４が接続され、他方の端子４２と接地間には抵抗２５が接続されている。また、Ｑスイッチ２１−３〜２１−５にも同様の抵抗が接続されているが、その説明および図示は省略する。
【００４１】
Ｑスイッチ２１−１〜２１−５はプロセッサ種別判定回路１０から出力されるシステムプロセッサ種別信号８１に基づき制御される。
【００４２】
いま、プロセッサの種別がＡの場合はＱスイッチがＤＣ電源側の抵抗（図３の例では抵抗２２および２４側）に接続され、プロセッサの種別がＢの場合はＱスイッチが接地側の抵抗（図３の例では抵抗２３および２５側）に接続されるものとする。すなわち、抵抗２２および２４が前述のプルアップ用の抵抗に相当し、抵抗２３および２５が前述のプルダウン用の抵抗に相当する。
【００４３】
また、各プロセッサ（＃１〜＃４）２〜５およびＬＳＩ６からＨＷストラップ信号８４−１、８４−２、・・・（８４−３〜８４−６は図示を省略する）が各Ｑスイッチの共通端子３３、４３等へ出力される。
【００４４】
なお、Ｑスイッチ２１−１〜２１−５を公知のトランジスタによる切り替え回路に置換することが可能である。
【００４５】
次に、電源システムについて説明する。本発明に係るコンピュータは、コンピュータの全ての回路の電源を司るシステム電源と、一部の回路の電源を司るスタンバイ電源の２種の電源を備えている。
【００４６】
本発明では、スタンバイ電源は一例としてプロセッサ種別判定回路１０とＨＷ設定回路２０および各プロセッサ（＃１〜＃４）２〜５の少なくともプロセッサ種別信号８２およびプレゼント信号８３を送信するための回路の電源のみを司る。
【００４７】
すなわち、スタンバイ電源を投入した場合はこれらの電源のみがオンとなるが、システム電源を投入した場合は他の回路の電源も全てオンとなる。
【００４８】
次に、本発明に係るプロセッサ切り替え装置の第１実施例の動作について説明する。図４は本発明に係るプロセッサ切り替え装置の第１実施例の動作の一例を示すフローチャートである。
【００４９】
同図を参照すると、まずコンピュータシステムを図示しない電源コンセントに差し込むと（ステップＳ１）、コンピュータシステムにはシステム電源ではなくスタンバイ電源が投入される（ステップＳ２）。
【００５０】
このスタンバイ電源が投入されると、プロセッサ種別判定回路１０、ＨＷ設定切り替え回路２０および各プロセッサ（＃１〜＃４）２〜５の少なくともプロセッサ種別信号８２およびプレゼント信号８３を送信するための回路の電源がオンとなり、これらの回路が動作可能な状態となる。そして、各プロセッサ（＃１〜＃４）２〜５からプロセッサ種別信号８２とプレゼント信号８３とがプロセッサ種別判定回路１０へ出力される（ステップＳ３）。
【００５１】
プロセッサ種別判定回路１０は各プロセッサ（＃１〜＃４）２〜５からのプロセッサ種別信号８２およびプレゼント信号８３を受け取り、それらの信号に基づきシステムプロセッサ種別信号８１を生成し、これをＨＷ設定切り替え回路２０へ出力する（ステップＳ４）。
【００５２】
ＨＷ設定切り替え回路２０はプロセッサ種別判定回路１０からのシステムプロセッサ種別信号８１を受け取り、この信号に基づき各プロセッサ（＃１〜＃４）２〜５およびＬＳＩ６に対応するＱスイッチを制御し、ＨＷストラップピンの接続先を設定する（ステップＳ５）。
【００５３】
すなわち、プロセッサ（＃１〜＃４）２〜５が種別Ａの場合はＱスイッチはＤＣ電源側に接続され、種別Ｂの場合はＱスイッチは接地側に接続される。
【００５４】
次に、システム電源が投入される（ステップＳ６）。
【００５５】
その後、プロセッサ（＃１〜＃４）２〜５およびＬＳＩ６はＨＷ設定切り替え回路２０により設定されたＨＷストラップで動作を開始する（ステップＳ７）。
【００５６】
以上説明したように、本発明の第１実施例によれば、コンピュータに実装するプロセッサの種類を変更する際に、部品の実装あるいは未実装の切り替え作業等を行わなくてもＨＷストラップの異なるプロセッサを自由に乗せ換えることが可能となる。
【００５７】
また、ＨＷストラップの変更をシステム電源の投入前に行うことが可能となる。
【実施例２】
【００５８】
次に、本発明の第２実施例について説明する。第２実施例は第１実施例とプロセッサ種別判定回路の構成が異なる。図５は第２実施例のプロセッサ種別判定回路６０の構成図である。同図を参照すると、第１実施例（図２参照）と異なる点は論理和回路１２の出力側と接地間に発光ダイオード１３が接続された点であり、その他の構成は第１実施例と同様である。したがって、第１実施例と同様の構成部分については図示するのみとし、その説明を省略する。
【００５９】
論理和回路１２の出力側と接地間に発光ダイオード１３が接続されているため、プロセッサの種別がＡの場合、論理和回路１２の出力信号は“１”となり、発光ダイオード１３が点灯する。
【００６０】
一方、プロセッサの種別がＢの場合、論理和回路１２の出力信号は“０”となり、発光ダイオード１３は消灯する。
【００６１】
すなわち、本発明の第２実施例によれば、発光ダイオード１３が点灯している場合は種別Ａのプロセッサが実装されており、発光ダイオード１３が消灯している場合は種別Ｂのプロセッサが実装されていると目視で判断することができるため、プロセッサ種別の誤実装を防止することが可能となる。
【実施例３】
【００６２】
次に、本発明の第３実施例について説明する。第３実施例は第１実施例とプロセッサ種別判定回路の構成が異なる。図６は第３実施例のプロセッサ種別判定回路７０の構成図である。同図を参照すると、第１実施例（図２参照）と異なる点は、論理積回路１１（ＡＮＤゲート１１−１〜１１−４）の出力側に比較回路１４が接続され、さらに比較回路１４の出力側と接地間に発光ダイオード１５が接続された点であり、その他の構成は第１実施例と同様である。したがって、第１実施例と同様の構成部分については図示するのみとし、その説明を省略する。
【００６３】
比較回路１４はソケットに実装されているプロセッサに対応するＡＮＤゲート（１１−１〜１１−４のうちのいずれか）の出力が全て“１”または全て“０”である場合は、出力信号“１”を出力し、その出力に“１”と“０”の両方が含まれる場合は出力信号“０”を出力する。
【００６４】
このような比較回路１４は、一例として排他的論理和回路（エクスクルーシブＯＲゲート）と否定回路（ＮＯＴゲート）の組み合わせで構成することが可能である。
【００６５】
そして、比較回路１４の出力信号が“１”の場合は発光ダイオード１５が点灯し、比較回路１４の出力信号が“０”の場合は発光ダイオード１５が消灯する。
【００６６】
もちろん、ソケットに実装されているプロセッサに対応するＡＮＤゲート（１１−１〜１１−４のうちのいずれか）の出力が全て“１”または全て“０”である場合は、出力信号“０”を出力し、その出力に“１”と“０”の両方が含まれる場合は出力信号“１”を出力する構成も可能である。
【００６７】
以上説明したように本発明の第３実施例によれば、一例として発光ダイオード１５が点灯すれば、全てのプロセッサが同一種別であり、発光ダイオード１５が消灯すれば異種のプロセッサが混合されていると一目で判断することが可能となる。
【図面の簡単な説明】
【００６８】
【図１】本発明に係るプロセッサ切り替え装置の第１実施例の構成図である。
【図２】プロセッサ種別判定回路１０の一例の構成図である
【図３】ＨＷ設定切り替え回路２０の一例の構成図である。
【図４】本発明に係るプロセッサ切り替え装置の第１実施例の動作の一例を示すフローチャートである。
【図５】第２実施例のプロセッサ種別判定回路６０の構成図である。
【図６】第３実施例のプロセッサ種別判定回路７０の構成図である。
【符号の説明】
【００６９】
１  プロセッサ切り替え装置
２〜５  プロセッサ（＃１〜＃４）
６  ＬＳＩ
１０  プロセッサ種別判定回路
１１  論理積回路
１２  論理和回路
１３、１５  発光ダイオード
１４  比較回路
２０  ＨＷ設定切り替え回路
２１  Ｑスイッチ
２２〜２５  抵抗
【図１】
2007293641.tif 000003
【図２】
2007293641.tif 000004
【図３】
2007293641.tif 000005
【図４】
2007293641.tif 000006
【図５】
2007293641.tif 000007
【図６】
2007293641.tif 000008